(57)【要約】【課題】  外部からの熱線を遮蔽し、安全帽の内側温度の上昇を防止する安全防暑帽を提供する。【解決手段】  ヘルメット１の外側表面に無機球状粒子含有熱線遮蔽塗料２が例として１００μｍの塗膜厚で塗布されている。無機球状粒子含有熱線遮蔽塗料２は高分子複合材で無機球状粒子が添加されており、ヘルメット１の外側表面が受ける直射日光などの放射エネルギーの約８５％以上を反射しヘルメット１の内部への放射エネルギーの放出を１５％以下に抑えられる為ヘルメット１の内側温度の上昇防止すると共にヘルメット１には断熱層が形成されておらず、ヘルメット１の外側表面温度が外的要因で内側温度以下になると熱エネルギーが蓄積されることなく外側に放出され内側温度を下げることができる。【選択図】図１
2008121175.tif 000002
【特許請求の範囲】
【請求項１】
ヘルメットの外側表面に熱線遮蔽材料を貼付した事を特徴とする安全防暑帽。
【請求項２】
請求項１において、ヘルメットの外側表面に貼付される熱線遮蔽材料が塗料として塗装されたことを特徴とする安全防暑帽。
【請求項３】
請求項２において、無機球状粒子を添加した塗料を塗布したことを特徴とする安全防暑帽。
【請求項４】
ヘルメットの基材に熱線遮蔽材料として無機球状粒子を添加したことを特徴とする安全防暑帽。
【発明の詳細な説明】
【技術分野】
【０００１】  本発明はヘルメットなどの安全帽内の温度が直射日光に含まれる熱線により上昇することを防止した安全防暑帽に関する。
【背景技術】
【０００２】  一般に野外の工事現場など直射日光を多量に浴びる場所においても、作業者は頭部保護のためヘルメットを着用しなければならない。また法令等によりヘルメットの着用が義務付けられた場所では、気候条件に左右されることなく頭部保護の為ヘルメット等安全帽を着用しなければならない。【０００３】  そのため夏季において日射量の上昇に伴いヘルメットの外側表面温度が上昇し、それを受けて内側温度が上昇する為ヘルメットを着用している者は不快感を感じると共に作業性の低下及び過失に繋がるという問題が生じる。また健康面においては熱中症などの発症原因のひとつとなっている。【０００４】  そこでヘルメット内部の温度上昇を緩和させる目的でヘルメット外側及び内側表面に断熱塗料を塗布したものが考案されている（例として、特許文献１及び特許文献２）。また通風口等を設け換気性を良くしたヘルメット（例として、特許文献３）。や保冷マット等で積極的に強制冷却するもの（例として、特許文献４）。などが知られている。
【特許文献１】特開２００２−３１２５３６
【特許文献２】特開２０００−２７０２０
【特許文献３】特開２００２−６９７３８
【特許文献４】特開２０００−９６３３３
【発明の開示】
【発明が解決しようとする課題】
【０００５】  以上に述べた従来の提案のうち断熱塗料を塗布したものでは、ヘルメット外表面に熱伝導を防ぐ為の断熱層が形成されており風が吹く、及び日射量の低下など外的要因が生じてヘルメット外側の温度が下がってもヘルメット内側の熱が外側に伝導しにくい為ヘルメット内の温度低下を招きにくい。また頭部自体が発熱体である為断熱層の影響を受けヘルメット内側の温度上昇を招き再度ヘルメットを脱ぐという作業の必要性が懸念される。また通風口を設けたもの、保冷マット等による強制冷却するものでは、複雑な構造の為ヘルメットの重量が増す、強度低下が生じるなどの問題点がある。【０００６】  本発明は、このような従来の問題を解決し、直射日光に含まれる熱線による影響でヘルメット内側の温度が上昇するのを、断熱層を形成せず防止しヘルメット自体の重量、強度を保持することができる安全帽暑帽を提供することを目的とする。
【課題を解決するための手段】
【０００７】  上記課題を解決するため、本発明はヘルメット本体の少なくとも外側表面に無機球状粒子含有熱線遮蔽材料を塗料として塗布され波長範囲３００ｎｍから２５００ｎｍの日射反射率が８５％以上あり断熱層が形成されていないことを特徴とする。また、無機球状粒子含有熱線遮蔽材料がヘルメットの外側表面に熱線遮蔽層として形成され波長範囲３００ｎｍから２５００ｎｍの日射反射率が８５％以上あり断熱層が形成されていないことも特徴とする。更に無機球状粒子含有熱線遮蔽材として高分子構造膜をヘルメットの外側表面に貼付され波長範囲３００ｎｍから２５００ｎｍの日射反射率が８５％以上あり断熱層が形成されていないことも特徴とする。【０００８】  更に無機球状粒子含有熱線遮蔽材料を塗料として塗布する場合無機球状粒子含有熱線遮蔽塗料の密着性を上げる塗料及び、無機球状粒子含有熱線遮蔽塗料は、ヘルメットの基材を犯さずヘルメットの強度低下を起こさないことも特徴とする。【０００９】  以上のように本発明では、ヘルメット外側表面に照射される熱線を反射し遮蔽することでヘルメット外側表面温度の上昇を抑えヘルメット内側に伝わる熱エネルギーを減少させヘルメット内側温度上昇を抑えると共に断熱層を形成されていない為、外的要因でヘルメット外側温度が内側温度より低くなると速やかに内部の熱を放出することができる。更に複雑な構造を持たない為、極度な重量増加や強度低下を起さない。
【発明を実施するための最良の形態】
【００１０】  以下、本発明の実施の形態について図１から図２を参照して説明する。【００１１】  図１はヘルメットの外側表面に無機球状粒子含有熱線遮蔽塗料を塗装したもの断面図の模式図である。図１において１はヘルメットである。２は無機球状粒子含有熱線遮蔽塗料層である。３はヘルメットと無機球状粒子含有熱線遮蔽塗料の密着性を上げる塗料層である。なお本図においてヘルメット内装は省略してある。【００１２】  無機球状粒子含有熱線遮蔽塗料層２を形成する無機球状粒子含有熱線遮蔽塗料は例えばアクリル共重合エマルジョンを基材としチタン酸化物及び無機球状粒子の混合物であって塗料性能上添加剤として消泡剤、分散剤、防腐剤等も成分として添加されている。【００１３】  ヘルメットと無機球状粒子含有熱線遮蔽塗料の密着性を上げる塗料層３を形成する無機球状粒子含有熱線遮蔽塗料はヘルメットの基材を犯さずヘルメットの強度低下を起こさない性質のものである。【００１４】  実施例１としてＡＢＳ樹脂製白色のヘルメット（品名：ＭＮ−１型  山崎工業株式会社製造）の本体外側面に無機球状粒子含有熱線遮蔽塗料の密着性を上げる塗料（品名：アドグリーンコート水性プライマー  日本中央研究所株式会社製造）を塗膜厚４０μｍで塗装し室温２４℃で３時間乾燥させ、次いでその上に無機球状粒子含有熱線遮蔽塗料（品名：アドグリーンコート  品番：ＴＧ−０９  日本中央研究所株式会社製造）を塗膜厚５０μｍで塗装し室温２４℃で３時間乾燥させた後、同無機球状粒子含有熱線遮蔽塗料を塗膜厚５０μｍで再度塗装し室温２４℃で３時間乾燥させることにより熱線遮蔽性に優れた表面層を持つヘルメットを作製した。【００１５】  比較例１として、上記実施例１で使用したヘルメットと同じヘルメットを未加工のまま使用する。【００１６】  実施例１のヘルメット及び比較例１のヘルメットを同日時、同場所において同量の直射日光が当たるよう野外に放置しそれぞれのヘルメット内部頭頂部より５ｃｍ下方の温度を正午より６分毎に４時間の測定実験を行った。この熱線遮蔽性能における温度差測定実験の結果を表１として示し熱線遮蔽性能の差を比較し易くするためグラフにしたものを図２とする。尚内側頭頂部より５ｃｍ下方を測定位置としたのは着用時の頭部位置を想定したものであり、それ以下ではヘルメット内装であるハンモックより上方となり着用者への影響は少ない。【００１７】  下記表は、本熱線遮蔽安全防暑帽を実施例１とし、未加工ヘルメットを比較例１とした温度変化の測定結果表である。
2008121175.tif 000003
【００１８】    熱線遮蔽性能における温度差測定実験により、実施例１の測定温度は比較例１の測定温度より平均して約３．８℃、最大で５．８℃低いことがわかった。この試験結果より本発明において実施例１のヘルメットは比較例１のヘルメットより直射日光に含まれる熱線よる影響が少なく内側の温度上昇を防止する効果を有することが立証できた。
【発明の効果】
【００１９】  以上に詳述したように、本発明の熱線遮蔽性に優れたヘルメットはヘルメット本体の少なくとも外側に無機球状粒子含有熱線遮蔽塗料の密着性を上げる下地層の厚さが２０μｍから３００μｍであり、無機球状粒子含有熱線遮蔽塗料で作られた熱線遮蔽層の厚さが３０μｍから４００μｍであることにより断熱層を形成することなく確実にヘルメット内側の温度上昇を防止することができる。
【００２０】  本発明の熱線遮蔽性に優れたヘルメットは特に夏季の炎天下におけるヘルメット着用者には最適かつ簡単で有効な熱射対策になるものである。
【図面の簡単な説明】
【００２１】
【図１】本熱線遮蔽安全防暑帽の断面模式図である
【図２】本熱線遮蔽安全防暑帽を実施例１とし、未加工ヘルメットを比較例１とした温度変化の測定結果表をグラフにしたものである。
【符号の説明】
【００２２】      １  ヘルメット
２  無機球状粒子含有熱線遮蔽塗料層
３  ヘルメットと無機球状粒子含有熱線遮蔽塗料の密着性を上げる塗料層
【図１】
2008121175.tif 000004
【図２】
2008121175.tif 000005